(57)【要約】【課題】  大容量の記憶ディバイスに記憶された記憶情報から現在位置に相応しい記憶情報を選択して再生操作する。【解決手段】  再生モード設定部１４により現在位置再生処理モードに設定されると、位置検出部３０によって検出した現在位置データに基づいて、情報記憶部１０に記憶された関連情報の位置データの検索が行われる。現在位置データと合致した位置データを検出すると、この位置データを有する関連情報とともに対応する記憶情報が選択されて再生記録部９により再生処理される。記憶情報の再生処理に伴って、再生実績データ等の関連情報が更新或いは追加されて情報記憶部１０に記録される。【選択図】  図２
2005037276.tif 000002
【特許請求の範囲】
【請求項１】
音楽データや映像データからなるコンテンツ或いは各種情報からなる記憶情報を記憶するとともにコンテンツや情報を新規に記憶し、これら各記憶情報毎に付加されて再生時の実績や再生位置データ或いは記録時の位置データを含む関連情報が書き換え自在に記憶される情報記憶部と、
外部の配信センタから配信されるコンテンツやガイド情報からなる配信情報を受信する情報受信部と、
上記情報記憶部に記憶された記憶情報から選択された所定の記憶情報を再生処理するとともに上記情報受信部で受信した配信情報の出力処理を行い、かつこれら記憶情報や配信情報に付加された上記関連情報についてその再生実績に伴うデータ更新やデータ追加の処理を行って上記情報記憶部に記録する再生記録部と、
上記記憶情報や配信情報の再生処理時に、人工衛星から送信される位置信号と自立航行センサの出力とによって現在位置データを求め、この現在位置データを当該再生情報の上記関連情報の位置データとして上記再生記録部に供給して上記情報記録部に記録させる位置検出部と、
上記情報記憶部から上記記憶情報を自動選択して上記再生記録部により再生処理する自動再生処理モードを、少なくとも上記記憶情報をランダムに選択して再生処理するランダム再生処理モードと、上記位置検出部から供給された上記現在位置データと上記金連情報とに基づいて所定の上記記憶情報を選択して再生する現在位置再生処理モードとに設定する再生モード設定部と、
上記各部の動作を制御する制御処理部とを備え、
上記現在位置再生処理モードに設定した状態において、上記位置検出部により検出した上記現在位置データと合致する上記関連情報の位置データを検索するとともに、合致した位置データを有する上記関連情報に対応する上記記憶情報を上記情報記憶部から選択し、この記憶情報を上記再生記録部によって再生処理することを特徴とする車載情報再生記録装置。
【請求項２】
上記記憶情報とともに、地図データや音声ガイドデータを有するカーナビゲーション情報が記憶された上記情報記憶部と、
音声入力部とを備え、
上記位置検出部によって求めた現在位置データに基づいて上記情報記憶部から現在位置に対応する上記カーナビゲーション情報を選択して上記再生記録部によって再生処理するとともに、上記音声入力部により入力された新規或いは追加の音声ガイド情報が上記再生記録部により上記現在位置データに関連付けられて上記カーナビゲーション情報に付加されて上記情報記録部に記録されることを特徴とする請求項１に記載の車載情報再生記録装置。
【請求項３】
上記関連情報として記録される上記位置データが、緯度・経度データ、道路データ或いは地域データの少なくともいずれか１つのデータであることを特徴とする請求項１に記載の車載情報再生記録装置。
【請求項４】
音楽データや映像データからなるコンテンツ或いは各種情報からなる記憶情報を記憶しかつコンテンツや情報を新規に記憶するとともにこれら各記憶情報毎に付加されて再生時の実績や再生位置データ或いは記録時の位置データを含む関連情報が書き換え自在に記憶される情報記憶部と、外部の配信センタから配信されるコンテンツやガイド情報からなる配信情報を受信する情報受信部と、上記情報記憶部に記憶された記憶情報から選択された所定の記憶情報を再生処理するとともに上記情報受信部で受信した配信情報の出力処理を行いかつこれら記憶情報や配信情報に付加された上記関連情報についてその再生実績に伴うデータ更新やデータ追加の処理を行って上記情報記憶部に記録する再生記録部と、上記記憶情報や配信情報の再生処理時に人工衛星から送信される位置信号と自立航行センサの出力とによって現在位置データを求めかつこの現在位置データを当該再生情報の上記関連情報の位置データとして上記再生記録部に供給して上記情報記録部に記録させる位置検出部と、上記情報記憶部から上記記憶情報を自動選択して上記再生記録部により再生処理する自動再生処理モードを少なくとも上記記憶情報をランダムに選択して再生処理するランダム再生処理モードと上記位置検出部から供給された上記現在位置データと上記金連情報とに基づいて所定の上記記憶情報を選択して再生する現在位置再生処理モードとに設定する再生モード設定部と、上記各部の動作を制御する制御処理部とを備える車載情報再生記録装置が用いられ、
上記再生モード設定部によって上記情報記憶部に記憶した上記記憶情報を自動再生する再生処理モードを、現在位置再生モードに設定した状態において、
上記位置検出部において現在位置データを生成する工程と、
上記現在位置データに基づいて上記情報記憶部に記憶された上記関連情報の位置データを検索するとともに、この検索結果に基づいて合致した位置データの関連情報を有する所定の上記記憶情報を選択する工程と、
選択した上記記憶情報を上記再生記録部によって再生して出力する工程と、
上記記憶情報の再生処理の実績に関する上記関連情報の再生実績データを更新又は追加して上記再生記録部によって上記情報記憶部に記録する工程と
を経て、上記情報記憶部から現在位置に適応した所定の記憶情報を選択して再生することを特徴とする車載情報再生記録装置における情報再生記録方法。
【請求項５】
上記車載情報再生記録装置に、上記記憶情報とともに地図データや音声ガイドデータを有するカーナビゲーション情報を位置データに関連付けして記録してなる上記情報記憶部と、上記記憶情報の再生処理モードの設定とともに上記現在位置データに基づいて上記情報記録部から現在位置の上記カーナビゲーション情報を上記再生記録部によって出力するナビゲーションモードの設定を行う上記再生モード設定部と、音声入力部とが備えられ、
上記再生モード設定部によって、ナビゲーションモードに設定して現在位置のカーナビゲーション情報が出力されている状態において、
現在位置の状況について上記音声入力部によって新規或いは追加の音声ガイドを入力する工程と、
入力された上記新規或いは追加の音声ガイドデータを、上記再生記録部によって上記現在位置データに関連付けして上記情報記憶部のカーナビゲーション情報に記録する工程と
を有することを特徴とする請求項４に記載の車載情報再生記録装置における情報再生記録方法。
【発明の詳細な説明】
【技術分野】
【０００１】
本発明は、音楽データや映像データ等のコンテンツ、各種ガイド情報或いは地図データやガイド情報等の各種情報を記録可能な情報記憶部と、カーオーディオ機能及びカーナビゲーション機能とを搭載した車載情報再生記録装置及びその情報再生記録方法に関する。
【背景技術】
【０００２】
自動車には、ほとんどの車種にチューナ一体型のカーオーディオシステム装置が標準装備されるとともに、テレビジョン受像機やカーナビゲーション装置が標準装備或いはオプションで搭載されて使用されている。カーオーディオシステム装置は、ラジオ放送等を受信するとともに、例えば音楽情報等を記憶した光ディスクやディスクカートリッジ、或いはメモリカードや磁気テープカセット等の可搬型記録媒体を差し換えて使用することが可能である。
【０００３】
カーナビゲーション装置は、ＧＰＳ（Global Positioning System）受信システムや各種の自立航行センサ或いは地図情報を記憶した光ディスクやメモリカード等の記録媒体と、モニタ等から構成される。カーナビゲーション装置は、人工衛星から送信されるＧＰＳ信号を受信するとともにこのＧＰＳ信号と自立航行センサの出力とを計算して現在位置データを求め、この現在位置データに基づいて地図データやガイド情報を記録媒体から取り出して液晶表示器等のモニタに表示するとともにスピーカから必要な音声ガイドが行われるように構成される。
【０００４】
ところで、特許文献１には、移動する車内において走行位置や走行速度、搭乗者の気分等に応じて音楽サイト等から適当な音楽配信や各種の情報を受ける音楽配信システムが提案されている。かかる音楽配信システムによれば、自動車に搭載した車載情報端末装置と情報センタとが無線によって接続され、例えば車載情報端末装置側から現在の走行位置等の情報を添付して配信要求が行われる。音楽配信システムによれば、この配信要求に基づいて情報センタ側から現在位置に合ったタイムリーな音楽や観光ガイド或いは天候等の情報が選択されてリアルタイムで提供されることで、より快適なドライブを楽しむことを可能とする。
【０００５】
一方、車載情報処理装置においては、データの圧縮フォーマットの条件にもよるが、例えば従来の再生専用光ディスク（CD:Compact Disc）と比較してその数千枚分のデータを記録することが可能な大容量記憶特性を有するハードディスクや各種光ディスク等の記録媒体を備えた装置も提供されている。かかる車載情報処理装置は、従来のように記録媒体を頻繁に交換操作することを不要とし、多くの音楽情報や映像情報を連続して視聴することが可能なカーオーディオシステム機能が実現される。また、車載情報処理装置は、カーナビゲーション機能も搭載して複合機能化が図られるようになり、さらに広域の地図情報も利用することが可能となる。
【０００６】
しかしながら、上述した先願の音楽配信システムにおいては、情報センタが各車から発信される大量の配信要求に対して応答し得る大規模な設備や無線チャンネルの確保等を必要とするとともに、多様な情報を大量に保有しかつそれらを随時更新する処理も必要である。したがって、音楽配信システムは、多面的かつ付加価値の高いサービスを提供することにより利用者の拡大を図るようにしても、莫大な投資と維持管理費用のために各ユーザが配信サービスを受けるための費用負担が極めて大きくなり実現が困難である。
【０００７】
また、上述した大容量記憶部を有する車載情報処理装置においては、カーオーディオシステム機能によって記憶されたコンテンツの視聴が行われるが、大容量情報記憶部にどのようなコンテンツを記憶したか忘れてしまったり、記憶された大量のコンテンツから目的のコンテンツを選択する操作が面倒であることもあって大部分が視聴されないままになってしまっていることが多い。車載情報処理装置においては、運転に神経を集中すべきドライバーが、大容量情報記憶部から現在の走行位置に相応しい好みのコンテンツを選択して視聴するといった操作を行うことが困難であった。
【０００８】
さらに、車載情報処理装置においては、大容量記憶部を利用することで、例えば現在位置で自らが見聞している情景や特記事項等のオリジナル情報も記憶することで、後日同じ場所を走行する際にカーナビゲーション情報がより有効に利用されるとともにドライブの楽しさを向上させる新規なカーナビゲーション装置を提供することも可能である。しかしながら、従来のカーナビゲーション装置においては、目的地までの最適なルートの探索や交通情報或いは沿線のガイド情報等の入手も可能であるが、これらはいずれも誰もが入手可能な画一的に提供されるカーナビゲーション情報の範囲にとどまっている。
【０００９】
【特許文献１】特開２００１−１８９９６９号公報
【発明の開示】
【発明が解決しようとする課題】
【００１０】
したがって、本発明は、大容量情報記憶部に記憶された記憶情報から現在位置に相応しい所定の記憶情報を自動的に選択して再生処理することを可能とするとともに、適当な追加情報も付加することを可能として、記憶された記憶情報が有効に再生されるようにするとともにドライブの雰囲気がより高められるようにする車載情報再生記録装置及びその情報再生記録方法を提供することを目的に提案されたものである。
【課題を解決するための手段】
【００１１】
上述した目的を達成する本発明にかかる車載情報再生記録装置は、情報記憶部と、情報受信部と、再生記録部と、位置検出部と、再生モード設定部と、制御処理部とを備える。情報記憶部には、音楽データや映像データからなるコンテンツ或いは各種の情報からなる記憶情報が記憶されるとともにコンテンツや情報を新規に記憶することが可能であり、これら各記憶情報毎に付加されて再生時の実績や再生位置データ或いは記録時の位置データを含む関連情報が書き換え自在に記憶される。情報受信部は、外部の配信センタから配信されるコンテンツやガイド情報等を受信することが可能とされる。再生記録部は、情報記憶部に記憶された記憶情報から選択された所定の記憶情報の再生処理を行い、また情報受信部で受信した受信情報の出力処理を行う。再生記録部は、記憶情報等の再生処理に伴って、関連情報についてその再生実績に関するデータ更新やデータ追加の処理を行って情報記憶部に記録する。位置検出部は、記憶情報等の再生処理時に、人工衛星から送信される位置信号と自立航行センサの出力とによって現在位置データを求め、この現在位置データを当該記憶情報の関連情報の位置データとして再生記録部に供給して情報記録部に記録させる。再生モード設定部は、情報記憶部から記憶情報等を選択して再生記録部により再生する際に、手動選択モードと自動選択モードとに設定する。再生モード設定部は、自動選択モードが、少なくとも記憶情報をランダムに選択して再生処理するランダム再生処理モードと、位置検出部から供給された現在位置データに基づいて所定の記憶情報を選択して再生処理する現在位置再生処理モードとに設定する。制御処理部は、各部から出力される制御信号等を処理するとともに、この処理結果に基づいて各部に対して所定の制御信号を出力して装置全体を制御する。
【００１２】
以上のように構成された本発明にかかる車載情報再生記録装置によれば、再生モード設定部によって記憶情報再生処理モードに設定し、情報記録部に記録された音楽データや映像データからなるコンテンツ或いは各種のガイド情報等の記憶情報を手動或いは自動的に選択して再生記録部により再生処理を行って車内に設置されたスピーカやモニタにより出力する。車載情報再生記録装置によれば、再生モード設定部によりランダム再生処理モードに設定して記憶情報の再生操作を行うことによって、情報記録部に記憶された記憶情報がランダムに選択されて再生記録部により再生処理される。車載情報再生記録装置によれば、再生モード設定部により現在位置再生処理モードに設定して記憶情報の再生操作を行うことによって、情報記録部に記憶された記憶情報から現在走行中の場所に相応しい或いは思い出のある所定のコンテンツ或いは必要なガイド情報等が自動的に選択されて再生記録部により再生処理される。
【００１３】
車載情報再生記録装置によれば、再生モード設定部により現在位置再生処理モードに設定されると、位置検出部によって検出した現在位置データに基づいて、情報記憶部に記憶された関連情報の位置データの検索が行われる。車載情報再生記録装置によれば、現在位置データと合致した位置データを検出すると、この位置データを有する関連情報とともに対応する記憶情報が選択されて再生記録部により再生処理される。車載情報再生記録装置によれば、当該記憶情報の再生処理に伴って、再生実績データ、例えば日時等のデータが現在位置データとともに関連情報に更新或いは追加されて情報記憶部に関連情報として記録される。
【００１４】
また、上述した目的を達成する本発明にかかる車載情報再生記録装置の情報再生記録方法は、上述した構成の車載情報再生記録装置が用いられて、情報記憶部に記憶された音楽データや映像データからなるコンテンツ或いは各種のガイド情報等の記憶情報、さらには外部の配信センタから配信されたコンテンツや各種のガイド情報等の配信情報の再生処理を行って、例えば車内に設置したスピーカやモニタから出力する。情報再生記録方法は、再生モード設定部によって情報記憶部に記憶した記憶情報を自動再生する再生処理モードを現在位置再生モードに設定した状態において、位置検出部において現在位置データを生成する工程と、現在位置データに基づいて情報記憶部に記憶された関連情報の位置データを検索して合致した位置データの関連情報を有する所定の記憶情報を選択する工程と、選択した記憶情報を再生記録部によって再生して出力する工程と、記憶情報の再生処理の実績に関する関連情報の再生実績データを更新又は追加して再生記録部によって情報記憶部に記録する工程とを有して、情報記憶部から現在位置に適応した所定の記憶情報を選択して再生する。
【発明の効果】
【００１５】
以上詳細に説明したように本発明によれば、大量の情報を記憶可能な情報記憶部に記憶された各種の記憶情報について、過去にも走行したことがある現在走行中の場所に関連する記憶情報を選択して再生することすら、無意味な情報或いは不要な情報が再生される場合と比較して搭乗者間に話題を提供して車内雰囲気の向上が図られるようになり、情報記憶部に記憶されたままで再生されることがほとんど無かった多くの記憶情報が有効かつ効率的に活用されることを可能とする。
【発明を実施するための最良の形態】
【００１６】
以下、本発明の実施の形態として図面に示した車載情報再生記録装置（以下、再生記録装置と略称する。）１について詳細に説明する。再生記録装置１は、図示しない筐体が例えば外形寸法を車載装置の基準寸法として用いられるＤＩＮ規格に基づいて形成されており、コンソールボックス内に設置され、或いは車内の適宜の位置に設けられたクレードル等を介して設置される。再生記録装置１は、カーオーディオ機能やカーナビゲーション機能或いはテレビ受信機能等の複合機能を奏し、図１に示すように後述する各種の情報を車内に設置したスピーカ２やモニタ３から出力して搭乗者が視聴することを可能とする。
【００１７】
再生記録装置１は、例えば携帯型のパーソナルコンピュータや情報端末装置（PDA:Personal Digital Assistant）或いは既設の車載装置等の外部装置４と接続されて情報等の相互授受を行うことが可能である。再生記録装置１は、メモリーカード、光ディスクやディスクカートリッジ或いは磁気テープカセット等の各種の可搬型外部記憶装置５を装填して情報の相互授受を行うことが可能である。再生記録装置１は、通常、自動車側のカーバッテリ６から電源供給を受けて駆動される。なお、再生記録装置１は、例えばクレードル等に対して筐体を着脱自在な構造とすることにより、運転時以外には自動車から取り外して盗難防止を図り、また例えば自宅に設置したパーソナルコンピュータ等と接続して情報の授受を行うことが可能とするように構成してもよい。
【００１８】
再生記録装置１は、図１に示すように、装置全体の動作を制御する制御処理部７と、音楽情報や映像情報等のコンテンツ或いはカーナビゲーション情報、テレビ放送やラジオ放送或いは配信情報等の受信情報や各種の情報を出力する出力部８と、各種の情報を再生記録する再生記録部９と、この再生記録部９によって再生記録される各種の情報を記憶する情報記憶部１０と、無線により通信を行う無線通信部１１と、外部装置４との接続を行う接続部１２と、電源部１３等を備えている。再生記録装置１は、電源のオン・オフ操作や機能切換操作或いは後述する各モード設定操作を行う操作部１４を備える。再生記録装置１には、外部記憶装置５が装填される装填部１５が設けられている。
【００１９】
制御処理部７は、ＣＰＵ（Central Processing Unit）やＲＯＭ（read-only memory）或いはＲＡＭ（random-access memory）等を備えており、予め定めたプログラムに基づいて再生記録装置１の全体動作や構成各部の動作を制御するコントローラ機能や、構成各部から入力された情報信号等の処理機能等を奏する。制御処理部７には、電源部１３に内蔵された二次電池２５から供給される電力によって記憶情報がバックアップされるＳＲＡＭ（static random-access memory）やフラッシュメモリ等の情報の書き換えが可能な不揮発性メモリ（non-volatile memory）からなる内部記憶部も備えられる。制御処理部７は、再生記録装置１への電源供給が停止された場合においても記憶した情報等が保持されるようにする。
【００２０】
出力部８は、音響情報出力制御部１６と画像情報出力制御部１７とを備え、各部から出力される各種の音響情報や画像情報をスピーカ２及びモニタ３から出力させる。出力部８には、後述するように再生記録部９から情報記憶部１０に記録されたコンテンツやガイド情報の音響データが供給され、無線通信部１１で受信したテレビ放送やラジオ放送或いは外部配信機関から配信されたガイド情報やコンテンツ等の音響データが供給され、再生記録部９によって再生された外部記憶装置５の記憶情報の音響データが供給される。
【００２１】
出力部８は、これら音響データについて、制御処理部７から出力される制御信号に基づいて音響情報出力制御部１５において所定の音響データ処理を行う。音響情報出力制御部１６は、例えば供給された音響データに対してＤ／Ａ（digital/analog）変換、或いは操作部１４によって設定されたボリューム値や音質の調整等の適宜の処理を行い、音響情報をスピーカ２から出力させる。
【００２２】
出力部８には、後述するように再生記録部９から情報記憶部１０に記録されたコンテンツや地図情報の画像データが供給され、無線通信部１１で受信したテレビ放送や外部配信機関から配信されたガイド情報やコンテンツ等の画像データが供給され、再生記録部９によって再生された外部記憶装置５の記憶情報の画像データが供給される。出力部８は、これら画像データについて、制御処理部７から出力される制御信号に基づいて画像情報出力制御部１７において所定の画像データ処理を行う。
【００２３】
画像情報出力制御部１７は、制御処理部７から供給される上述した各画像情報に基づいて生成した画像イメージデータから画像データを生成してモニタ３に出力する。画像情報出力制御部１７は、表示解像度に応じた画面同期信号等のタイミング信号の生成、複数の画像データの合成或いは表示範囲の制御等の機能も奏する。画像情報出力制御部１７は、表示データを保持するデータ記憶部も保有しているが、このデータ記憶部については例えば制御処理部７の記憶素子にその機能を保有させるようにしてもよい。
【００２４】
再生記憶部９は、詳細を省略するが、磁気ヘッド機構や光ピックアップ或いはレーザ装置等を有する再生記録機構が備えられており、情報記憶部１０から記憶されたコンテンツやガイド情報或いはカーナビゲーション情報等の記憶情報を再生する。再生記憶部９は、装填部１５に装填された外部記憶装置５から記憶されたコンテンツ等を再生する。再生記憶部９は、情報記憶部１０から所定のコンテンツを再生する際に、このコンテに付された関連情報も再生する。再生記憶部９は、外部記憶装置５やパーソナルコンピュータから供給されたコンテンツや各種の情報或いは無線通信部１１によって受信した受信情報を情報記憶部１０に記録する。再生記憶部９は、詳細を後述するように再生された所定のコンテンツやカーナビゲーション情報に対して関連情報を付加して記録する。
【００２５】
情報記憶部１０は、記憶手段として大容量記憶特性を有するハードディスクを備えており、音楽情報や映画情報等のコンテンツ或いは地図データやガイド情報等を有するカーナビゲーション情報、さらに各種の情報を大量に記憶することが可能である。情報記憶部１０には、記憶情報の制御データとしてＴＯＣＳ（technological aides to creative thoughts）や適宜のインデックス情報が記録される。情報記憶部１０には、カーナビゲーション情報として、道路地図データや地名等の検索データ或いは自動経路計算等に用いられる交通規制情報や受信したＧＰＳ信号に基づく現在位置を地図上に表示する際の道路リンク情報（ＰＯＩ情報；point of interest情報）等の種々の情報が記憶される。情報記憶部１０は、大容量記憶特性を有することにより、より広域のカーナビゲーション情報を記憶することが可能である。情報記憶部１０には、カーナビゲーション情報に対して、再生記憶部９を介して関連情報として使用者によるオリジナルのガイド情報も記憶される。
【００２６】
無線通信部１１は、アンテナ１８と接続された無線受信ユニット１９や、ＧＰＳアンテナ２０と接続されたＧＰＳ受信ユニット２１を有している。無線通信部１１は、従来のチューナ装置と同様に、アンテナ１８によって受信したラジオ放送やテレビ放送等の受信電波を無線受信ユニット１９において適宜処理する。無線通信部１１は、各種の配信センタから無線で配信される各種のガイド情報やコンテンツをアンテナ１８によって受信して無線受信ユニット１９において適宜処理する。なお、無線受信ユニット１９は、従来の一般的なチューナ装置と同様の機能を奏することから、その詳細な構成及び動作の説明を省略する。無線通信部１１は、上述した各受信情報を制御処理部７を介してスピーカ２やモニタ３から出力させる。
【００２７】
無線通信部１１は、従来のカーナビゲーション装置と同様に、ＧＰＳアンテナ２０によって衛星から送信されるＧＰＳ信号（Ｌ１帯のＣ／Ａコード：corrective action code）を受信してＧＰＳ受信ユニット２１において所定の信号処理を行って制御処理部７へと出力する。再生記録装置１は、自動車に適宜設置された自立航行センサ２２からのセンサ出力が制御処理部７へ出力される。自立航行センサ２２は、自動車の走行状況や挙動等を検出するセンサであり、例えばタイヤの回転数を検出する車速センサ、車体の回転角速度を検知する振動ジャイロセンサ、車の加速度を検知する加速度センサ、車の振動を検知する振動センサ等が組み合わされて構成される。また、自立航行センサ２２は、例えばパーキングランプやブレーキランプの点灯状態を検出するスイッチや、ステアリング蛇角センサ或いはスロットル開度センサ等を組み合わせて構成してもよい。
【００２８】
再生記録装置１においては、制御処理部７において上述したＧＰＳ信号と自立航行センサ２２の出力とに基づいて自車の緯度・経度情報を割り出して自車の現在位置データを算出する。再生記録装置１は、カーナビゲーション機能モードに設定した状態において、制御処理部７から出力される現在位置データに基づいて情報記憶部１０から所定のカーナビゲーション情報を検索して再生記録部９により再生して出力部８に出力する。再生記録装置１は、後述する現在位置再生処理モードに設定した状態において、制御処理部７から出力される現在位置データに基づいて情報記憶部１０から所定のコンテンツを検索して再生記録部９により再生して出力部８に出力する。なお、現在位置データは、詳細を後述するように必要に応じて再生記録部９により情報記録部１０に記録される。
【００２９】
再生記録装置１は、制御処理部７においてＧＰＳ受信ユニット２１から出力された現在位置データと情報記憶部１０に記録された道路リンク情報との対応処理を行って、所定の地図データとガイド情報等を選択して出力部８から出力する。なお、無線通信部１１については、例えばアンテナ１８と無線受信ユニット１９とを搭載した無線受信カードを装填部１５に装填して、所定の電波についての送受信機能を付加するように構成してもよい。
【００３０】
接続部１２は、上述したパーソナルコンピュータやＰＤＡ或いは既設の車載装置等の外部装置４を接続するコネクタ部２３と、これら外部装置４との間において制御信号や各種情報の授受が行われるようにするインタフェース部２４等を備えている。接続部１２は、上述したように接続された外部装置４から各種の情報を供給されて、再生記録部９を介して情報記録部１０にこれら情報が記録されるようにする。
【００３１】
接続部１２は、例えば接続された外部装置４を介して、情報記録部１０に記憶された記録情報の編集や関連情報の記録等を行うようにしてもよい。接続部１２は、再生記録装置１に対して例えばＬＡＮ（Local Area Network）やＷＡＮ（Wide Area Network）等のネットワークと接続する機能や、ＵＳＢ（Universal Serial Bus）等の有線通信網或いはＢｌｕｅｔｏｏｔｈと称される近距離無線通信網と接続機能を付加する。
【００３２】
電源部１３は、再生記録装置１の内部として二次電池２５を有するとともに電源制御部２６を有し、接続されたカーバッテリ６から供給された電源に対して所定の処理を行って構成各部に対して供給する。二次電池２５は、バックアップ電源として作用するが、上述したように再生記録装置１がクレードルに対して着脱されて可搬型装置として構成される場合には、構成各部に対して電源を供給する。また、電源部１３は、例えば家庭用電源との接続も可能とし、電源制御部２６において適当な電源処理を行うようにする。なお、電源部１３は、例えばシガーソケットと接続してカーバッテリ６からの電源供給を受けるようにしてもよい。
【００３３】
操作部１４は、筐体に設けた受信部に対して赤外線等の無線による信号入力を行うリモートコントローラ２７によって構成され、このリモートコントローラ２７を介してオン・オフ操作や各種の設定操作が行われるようにする。また、操作部１４は、筐体の前面部に適宜の操作パネルを設け、リモートコントローラ２７に代わり或いはこれに加えて構成するようにしてもよい。さらに、操作部１４は、例えばモニタ３にいわゆるタッチパネル入力装置が用いられる場合に、このモニタ３がリモートコントローラ２７に代わり或いはこれに加えた入力操作部を構成するようにしてもよい。
【００３４】
操作部１４は、上述したように再生記録装置１がカーオーディオ機能やカーナビゲーション機能或いはテレビ受信機能等の複合機能を有することから、各機能モードの切換操作を行う。操作部１４は、各機能モードに設定した状態で従来の個別装置において行われる同等の各種の入力操作、例えばチャンネル切換操作、コンテンツ選択操作、ボリュームや輝度の調整操作、ルート設定操作や画面スクロール操作等を行うようにする。
【００３５】
再生記録装置１は、操作部１４によって、上述した各機能モードの切換操作が行われ、例えばカーオーディオ機能に設定した状態で、情報記憶部１０に記憶されたコンテンツを再生するコンテンツ再生処理モードが、手動で行う手動再生処理モードと自動的に行われる自動再生処理モードとに切り換えられる。再生記録装置１は、詳細を後述するように自動再生処理モードが、情報記憶部１０に大量に記憶されたコンテンツをランダムに選択して再生処理するランダム再生処理モードと、走行時の現在位置データに基づいて選択した所定のコンテンツを再生処理する現在位置再生処理モードとに切り換えられる。再生記録装置１においては、カーオーディオ機能に設定した状態で、現に出力されているコンテンツに関する現在位置データや日時データ等の関連情報の記録可否が操作部１４によって設定される。
【００３６】
操作部１４には、例えばリモートコントローラ２７に内蔵されたマイクロホン２８も備えられる。マイクロホン２８は、再生記録装置１がカーオーディオ機能に設定されて現に所定のコンテンツの出力が行われ、或いはカーナビゲーション機能に設定されて現在位置のカーナビゲーション情報が出力されている状態において、コンテンツ或いはカーナビゲーション情報に対して音声による適宜の関連情報を入力することを可能とする。なお、操作部１４は、マイクロホン２８から入力される音声によって、機能モードの設定操作等を行うようにしてもよい。
【００３７】
再生記録装置１は、例えば情報記憶部１０に操作ガイダンス情報を記憶するようにしてもよい。再生記録装置１は、操作部１４によって各種の操作が行われる際に再生記録部９によって操作ガイダンス情報が再生され、スピーカ２やモニタ３から出力されるようにする。再生記録装置１は、リモートコントローラ２７に小型のスピーカを内蔵し、このスピーカから操作ガイダンス情報が出力されるようにしてもよい。
【００３８】
以上のように構成された再生記録装置１は、キー操作によりアクセサリー電源がオン操作された状態で使用可能となる。再生記憶装置１は、上述したように操作部１４によってカーオーディオ機能やカーナビゲーション機能或いはテレビ受信機能等の各機能モードの切換操作が行われる。再生記録装置１は、上述したように情報記憶部１０内に各種の情報が大量に記憶されており、また各情報に対してそれぞれ関連情報が付加されて記憶されている。
【００３９】
すなわち、再生記録装置１においては、情報記憶部１０がデータベースを構成し、大量のコンテンツやこれらの関連情報、検索情報等が記憶されている。再生記録装置１においては、上述したように情報記憶部１０に記憶したコンテンツを再生するコンテンツ再生処理モードが、手動再生処理モードと自動再生処理モードとによって行われ、さらに自動再生処理モードがランダム再生処理モードと現在位置再生処理モードとによって行われる。
【００４０】
再生記録装置１における現在位置データに基づくコンテンツの再生処理について、図２乃至図５を参照して説明する。すなわち、再生記録装置１においては、制御処理部７内で上述した手順によって検出された現在位置データＤ１が図２に示すように現在位置検出部３０内に格納される。再生記録装置１においては、現在位置データＤ１が現在位置再生処理モードに設定することによって読み出される。再生記録装置１においては、この現在位置データＤ１に基づいて、制御処理部７内のコンテンツ検索部３１と、記録処理部３２と、コンテンツ取得部３３とが動作する。
【００４１】
コンテンツ検索部３１は、情報記憶部１０にアクセスして現在位置データＤ１に基づいて所定のコンテンツＴを検索する。記録処理部３２は、現在位置データＤ１と現在再生されているコンテンツとを情報記憶部１０に出力して再生記録部９により記録させる。コンテンツ取得部３３は、コンテンツ検索部３１によって検索したコンテンツＴを情報記憶部１０から取り出して再生記録部９に対して再生処理を指示する。
【００４２】
再生記録装置１においては、情報記憶部１０内に、コンテンツ格納部３４に大量のコンテンツが格納され、コンテンツ−位置データベース３５に各コンテンツとそれぞれに付与した関連情報としての位置データとの相関データが格納され、地図データベース３６にカーナビゲーション情報を構成する地図データが格納される。各コンテンツは、例えばエム・ピー・スリー（MP3:MPEG-1 Audio Layer-3）やアトラック等により圧縮され或いは非圧縮のウエブファイルとしてコンテンツ格納部３４に格納される。
【００４３】
なお、各コンテンツは、コンテンツ格納部３４に格納されるとともに、上述したように外部装置４や外部記憶装置５に記憶されたコンテンツや外部配信センタから配信されるコンテンツを対象としてもよい。地図データベース３６は、従来と同様に緯度・経度データを格納するが、適宜のエリアや場所等を代表的に示すランドマークデータを格納するようにしてもよい。地図データベース３６は、無線通信部１１によって取得した情報であってもよい。
【００４４】
コンテンツ−位置データの相関データベース３５には、例えば図３に示すようにリストＩＤ（identification number）３７と、緯度データ３８と、経度データ３９と、道路ＩＤ４０と、ランドマークＩＤ４１と、コンテンツＩＤ４２と、再生日時データ４３とが記憶されている。なお、相関データベース３５には、これら全ての項目についてのデータが記憶される必要は無く、少なくともコンテンツＩＤ４２と再生日時データ４３とが記憶されればよい。相関データベース３５には、後述するように再生操作が行われたコンテンツＴの再生実績の記録操作が行われることにより、例えば新規の相関データとして、リストＩＤ４１の「００００８」欄に現在位置データＤ１に基づく緯度データ３８や経度データ３９或いは道路ＩＤ４０及びランドマークＩＤ４１とが記録されるとともに、コンテンツＴのコンテンツＩＤ４２と再生日時データ４３とが記録される。
【００４５】
再生記憶装置１は、現在位置再生処理モードに設定した状態でコンテンツの再生操作を行うことにより、現在走行して場所に相応しい所定のコンテンツＴが選択されてその再生操作が行われる。すなわち、再生記憶装置１においては、図４に示すように、コンテンツの再生指示に伴って現在位置検出部３０へのアクセスが行われて現在位置データＤ１の取得有無が検出される（ｓ−１）。再生記憶装置１においては、例えばカーナビゲーション機能が動作していない等の事情により現在位置データＤ１が取得されない場合には、この現在位置再生処理モードによるコンテンツ再生が終了される。なお、再生記憶装置１においては、スピーカ２やモニタ３によってその旨を報知し、例えばランダム再生処理モードや手動再生処理モードの切換等の適宜の終了処理が行われる。
【００４６】
再生記憶装置１においては、現在位置検出部３０から供給され現在位置データＤ１に基づいて、コンテンツ検索部３１によって相関データベース３５へのアクセスが行われることにより（ｓ−２）、該当する位置データを有するコンテンツが有るか否かの検索が行われる（ｓ−３）。再生記憶装置１においては、この検索により「該当する位置データ無」の結果を得た場合には、この現在位置再生処理モードによるコンテンツ再生の終了処理が行われる。
【００４７】
再生記憶装置１においては、上述したコンテンツ検索部３１の検索によって「該当する位置データ有」の結果を得た場合には、コンテンツ取得部３３によってコンテンツ格納部３４から該当するコンテンツＩＤ４２を有するコンテンツのリスト取得が行われる（ｓ−４）。再生記憶装置１においては、この取得リストに基づいて複数のコンテンツが有るか否かの検出が行われる（ｓ−５）。再生記憶装置１においては、複数のコンテンツが挙げられた場合には、例えばスピーカ２やモニタ３によってその旨を報知するともにモニタ３にこれらコンテンツのリストを表示する（ｓ−６）。
【００４８】
再生記憶装置１においては、操作部１４によって表示リストから所定のコンテンツＴを決定してその選択操作を行うことにより（ｓ−７）、コンテンツ取得部３３によってコンテンツ格納部３４から当該コンテンツＴの取得が行われる（ｓ−８）。なお、再生記憶装置１においては、上述した取得リストに１つのコンテンツのみが挙げられた場合には、コンテンツ取得部３３によって当該コンテンツＴの取得が行われる。
【００４９】
再生記憶装置１においては、コンテンツ取得部３３によって取得されたコンテンツＴが再生記録部９によって再生処理が行われ、出力部８のスピーカ２やモニタ３から出力される（ｓ−９）。再生記憶装置１においては、コンテンツＴの再生処理に伴って、当該コンテンツＴの関連情報として現在位置データＤ１の緯度データ３８や経度データ３９等のデータが再生記録部９により相関データベース３５に記録され（ｓ−１０）、一連のコンテンツ再生処理を終了する。
【００５０】
再生記憶装置１においては、複数のコンテンツが抽出された場合に、これらを適当な基準、例えば記録順、過去の再生実績順、再生頻度等によって自動的に順次再生を行うようにしてもよい。再生記憶装置１においては、コンテンツの選択操作が、例えばある時間の範囲で間欠的に行われるようにしてその間において選択されたコンテンツＴの再生処理が行われる。再生記憶装置１は、多数のコンテンツが抽出された場合に例えばワンクール分を再生するように制御してもよい。
【００５１】
一方、再生記憶装置１においては、例えば外部記憶装置５に記憶されたコンテンツや無線通信部１１によって受信した配信コンテンツ等の外部コンテンツについて、お気に入りのコンテンツを情報記憶部１０に関連情報を付して新規に記憶することが可能である。すなわち、再生記憶装置１においては、図５に示すように現在コンテンツが再生中であるか否かが検出される（ｓ−１１）。また、再生記憶装置１においては、再生中のコンテンツについて記録の要否が判断される。再生記憶装置１においては、コンテンツが未再生の場合や記録否と判断した場合に、現在の設定モードの処理がそのまま継続される。
【００５２】
再生記憶装置１においては、コンテンツが再生中であり記録要と判断した場合に、現在位置検出部３０へのアクセスが行われることにより現在位置データＤ１の取得有無の検出が行われる（ｓ−１２）。再生記憶装置１においては、現在位置データＤ１が取得されない場合には、現在の設定モードの処理がそのまま継続される。なお、この現在位置データＤ１については、緯度データ３８と経度データ３９ばかりでなく、例えば地図データベース３６から得た道路ＩＤ４０やランドマークＩＤ４１であってもよい。
【００５３】
再生記憶装置１においては、再生中の当該コンテンツＴについて、再生記憶部９によってコンテンツＩＤを付して情報記憶部１０のコンテンツ格納部３４に記憶する（ｓ−１３）。また、再生記憶装置１においては、当該コンテンツＴに対して現在位置データＤ１に基づく位置データを関連情報として関連付けする処理を行う（ｓ−１４）。再生記憶装置１においては、このようにして位置データを付したコンテンツＴについて、相関データベース３５に対して新規データとして、コンテンツＩＤ４２とともに、位置データとして緯度データ３８、経度データ３９、道路ＩＤ４０及びランドマークＩＤ４２と、再生日時データ４３とを再生記憶部９によって記録する（ｓ−１５）。
【００５４】
なお、再生記憶装置１においては、上述したコンテンツの新規記憶操作が、コンテンツの出力と同時、或いは道路ＩＤ４０及びランドマークＩＤ４２が付された特徴のある場所等において行われる。また、再生記憶装置１においては、例えば配信コンテンツを出力部８によって出力しながら制御処理部７の内部記憶部に一時記憶するようにし、これを情報記憶部１０に再記憶するようにしてもよい。再生記憶装置１は、手順ｓ−１５の記録操作について、ユーザによる入力操作とともに、例えばコンテンツの出力開始時、交差点の通過時等の適宜の位置で行われる。
【００５５】
再生記憶装置１は、例えば図６に示すようにこれを搭載した自動車４４が所定の道路ＩＤ４０を付与された道路４５を矢印方向に向かって走行しており、搭乗者によって現在位置再生処理モードに設定した状態でコンテンツの再生操作が行われている。再生記憶装置１においては、現在位置検出部３０において現在位置ＰのランドマークＩＤ４１が取得され、道路ＩＤ４０或いはこのランドマークＩＤ４１、道路ＩＤ４０とランドマークＩＤ４１との組み合わせを検索キーとしてコンテンツ検索部３１により相関データベース３５の検索が行われる。
【００５６】
再生記憶装置１においては、この検索結果に基づいてコンテンツリスト４６が取得されてモニタ３に表示される。再生記憶装置１は、このコンテンツリスト４６に表示されたコンテンツが搭乗者によって選択されることにより、再生記録部９によりその再生操作が行われる。なお、再生記憶装置１は、コンテンツリスト４６に表示された複数のコンテンツについて、例えばランドマークＩＤ４１との距離、進行方向との位置関係、再生時間等の条件によって優先順位を定めてその再生処理を行うようにしてもよい。
【００５７】
上述した再生記憶装置１においては、ある場所の位置データに基づいてコンテンツの再生を行う場合について説明したが、例えば図７に示すように種々の場所等に関連して情報記憶部１０にそれぞれ記録されたガイド情報を自動的に再生操作することも可能である。再生記憶装置１は、例えば観光バス５０に搭載され、情報記憶部１０に様々な観光ルートに応じて位置データを関連情報として付した観光ガイド情報や音楽情報等が記憶されている。観光バス５０は、あるルートの道路５１を走行しており、予め定めた位置情報と現在位置データＤ１とを比較することによって、第１のポイントＰ１で第１の観光ガイド情報Ｍ１を放送するとともに第２のポイントＰ２で第２の観光ガイド情報Ｍ２を自動的に放送する。
【００５８】
また、再生記憶装置１においては、上述したコンテンツの記録手順にしたがって、実際に観光バス５０を走行させながら最適な位置で最適な観光ガイド情報を情報記憶部１０に記憶させることが可能である。すなわち、再生記憶装置１においては、道路５１を走行しながらその場で見える状況をマイクロホン或いはカメラによって入力を行う。再生記憶装置１においては、この入力情報に対して位置データが関連付けされて情報記憶部１０に記憶される。
【００５９】
従来、観光ガイド情報は、例えば事務所等において地図を見ながら作成されており、実際に道路５１を走行すると建物の陰になったりして当該ガイドスポットが視認できないこともあった。また、観光ガイド情報は、適当な地点で運転手等による再生操作が行われてスピーカ２等から出力されるが、タイミングのズレがあり機会を逃すことがあった。再生記憶装置１においては、簡易な操作によって観光ガイド情報の作成が可能でありかつ正確な状況のもとに正確なポイントで観光ガイド情報を再生することを可能とする。
【００６０】
上述した基本構成並びに基本動作を行う再生記憶装置１は、具体的に図８乃至図１４に示した動作を行う。再生記憶装置１においては、上述したようにモニタ３の表示画面を利用して各種の入力操作が行われる。再生記憶装置１は、再生したコンテンツを自動的に位置データとコンテンツ情報とを関連付けするか否かの設定操作が図８に示したモニタ画面６０によって行われる。再生記憶装置１においては、モニタ画面６０の位置記録欄６１でＯＮ、ＯＦＦの切換を行うことにより位置データとコンテンツとの関連付け要否の設定が行われる。再生記憶装置１においては、位置記録欄６１でＯＦＦ設定を行った場合には、位置データとコンテンツとの関連付けが行われない。
【００６１】
再生記憶装置１においては、位置記録欄６１でＯＮ設定を行った場合に、コンテンツに対して、緯度・経度欄６２と、道路欄６３と、ランドマーク欄６４を選択することによりそれぞれの関連付けの要否が設定される。関連付け設定は、同図の場合に緯度・経度と、ランドマークとによって行われる。再生記憶装置１においては、この設定でよければＯＫ欄６５をクリックして決定し、また再設定を行う場合にはＣａｎｃｅｌ欄６６がクリックされる。
【００６２】
再生記憶装置１においては、図９に示したモニタ画面７０によってコンテンツの自動再生処理モードの設定が行われる。再生記憶装置１においては、上述したようにコンテンツの自動再生処理モードがランダム再生処理モードと現在位置再生処理モードとによって行われる。再生記憶装置１においては、モニタ画面７０に通常Ｓｈｕｆｆｌｅ欄７１と位置情報欄７２とが設けられ、一方をＯＮ設定することによって他方がＯＦＦ設定となる。再生記憶装置１においては、位置情報欄７２をＯＮ設定した場合に、上述した緯度・経度欄６２と、道路欄６３と、ランドマーク欄６４の設定が有効となる。再生記憶装置１は、図９の場合に、現在位置再生処理モードで、緯度・経度データと道路データとに基づいてコンテンツ再生が行われるように設定される。
【００６３】
上述したモニタ画面７０によって設定されるコンテンツの再生処理モードの設定操作のフローチャートを図１０に示す。再生記憶装置１においては、コンテンツの再生処理が手動によって行われるか、プログラム処理による自動によって行われるかが判断される（ｓ−２０）。再生記憶装置１においては、手動再生処理モードに設定されている場合に、ユーザが情報記録部１０から任意に選択操作を行ってコンテンツの再生処理が行われるようにする（ｓ−２１）。
【００６４】
再生記憶装置１においては、自動再生処理モードに設定されている場合に、ランダム再生処理モードに設定されているか現在位置再生処理モードに設定されているかが判断される（ｓ−２２）。再生記憶装置１においては、ランダム再生処理モードに設定されている場合に、適宜に定めた選択基準に基づいて情報記録部１０からコンテンツがＳｈｕｆｆｌｅ選択されて再生処理が行われるようにする（ｓ−２３）。再生記憶装置１においては、現在位置再生処理モードに設定されている場合に、所定の項目に基づいて情報記録部１０からコンテンツの選択が行われて再生処理される（ｓ−２４）。
【００６５】
再生記憶装置１においては、上述した図４によって説明した基本手順によって現在位置再生処理モードによるコンテンツの再生が行われるが、図９によって説明したように位置データとして緯度・経度項目、道路項目及びランドマーク項目の設定が行われる。したがって、再生記憶装置１においては、図１１に示した各項目を検索キーとしたコンテンツの選択が行われる。すなわち、再生記憶装置１においては、現在位置再生処理モードに設定されている場合に、位置データとして経度・緯度項目が設定されているかを検出する経度・緯度モードの判断が行われる（ｓ−３０）。
【００６６】
再生記憶装置１においては、位置データとして経度・緯度項目が設定されていない場合に次の項目の設定要否が判断される。再生記憶装置１においては、経度・緯度モードに設定されていると判断した場合に、上述した相関データベース２５に該当する経度・緯度データがあるか否かが判断される（ｓ−３１）。再生記憶装置１においては、該当する経度・緯度データを検出した場合には、コンテンツ取得部３３によりコンテンツＩＤ４２の取得が行われる（ｓ−３２）。再生記憶装置１においては、上述したように取得したコンテンツＩＤ４２に基づいてコンテンツ格納部３４から所定のコンテンツが選択されて再生記録部９により再生処理が行われる（ｓ−３３）。
【００６７】
再生記憶装置１においては、該当する経度・緯度データが検出されなかった場合には、位置データとして道路項目が設定されているかを検出する道路モードの判断が行われる（ｓ−３４）。再生記憶装置１においては、位置データとして道路項目が設定されていない場合に次の項目の設定要否が判断される。再生記憶装置１においては、道路モードに設定されていると判断した場合に、上述した相関データベース２５に該当する道路データがあるか否かが判断される（ｓ−３５）。
【００６８】
再生記憶装置１においては、該当する道路データを検出した場合には、コンテンツ取得部３３によりコンテンツＩＤ４２の取得が行われる（ｓ−３２）。再生記憶装置１においては、上述したように取得したコンテンツＩＤ４２に基づいてコンテンツ格納部３４から所定のコンテンツが選択されて再生記録部９により再生処理が行われる（ｓ−３３）。
【００６９】
再生記憶装置１においては、該当する道路が検出されなかった場合に、位置データとしてランドマーク項目が設定されているかを検出するランドマークモードの判断が行われる（ｓ−３６）。再生記憶装置１においては、位置データとしてランドマーク項目が設定されていない場合には、現在位置再生処理モードによるコンテンツの再生操作を終了する。
【００７０】
再生記憶装置１においては、ランドマークモードに設定されていると判断した場合に、上述した相関データベース２５に該当するランドマークデータがあるか否かが判断される（ｓ−３７）。再生記憶装置１においては、該当するランドマークデータを検出した場合には、コンテンツ取得部３３によりコンテンツＩＤ４２の取得が行われる（ｓ−３２）。再生記憶装置１においては、上述したように取得したコンテンツＩＤ４２に基づいてコンテンツ格納部３４から所定のコンテンツが選択されて再生記録部９により再生処理が行われる（ｓ−３３）。
【００７１】
再生記憶装置１は、上述した図５に示した基本手順によってコンテンツに対する関連情報としての位置データ記録が行われるようにするが、図８及び図９に示したように位置データとして緯度・経度項目、道路項目及びランドマーク項目の設定が行われる。したがって、再生記録装置１においては、図１２に示した手順にしたがって、位置データの記録処理が行われる。すなわち、再生記憶装置１においては、コンテンツの再生操作が現在位置再生処理モードによって行われているか否かの判断が行われる（ｓ−４０）。再生記憶装置１においては、現在位置再生処理モードに設定されていない場合には、位置データの記録処理を終了する。
【００７２】
再生記憶装置１においては、現在位置再生処理モードに設定されていると判断した場合に、相関データベース３５から現に再生が行われているコンテンツのコンテンツＩＤの取得が行われる（ｓ−４１）。再生記憶装置１においては、次に再生中のコンテンツがどの項目によって選択されたかの検出が行われる。再生記憶装置１においては、コンテンツの再生が経度・緯度モードによって行われているか否かの判断が行われる（ｓ−４２）。再生記憶装置１においては、コンテンツの再生が経度・緯度モードによって行われていないと判断した場合には、次のモード検出が行われる。
【００７３】
再生記憶装置１においては、コンテンツの再生が経度・緯度モードによって行われていると判断した場合には、現在位置検出部３０から現在位置の緯度データ及び経度データとの取得が行われる（ｓ−４３）。再生記憶装置１においては、次にコンテンツの再生が道路モードによって行われているか否かの判断が行われる（ｓ−４４）。再生記憶装置１においては、コンテンツの再生が道路モードによって行われていないと判断した場合には、次のモード検出が行われる。再生記憶装置１においては、コンテンツの再生が道路モードによって行われていると判断した場合には、現在位置検出部３０或いは相関データベース３５から道路データ（道路ＩＤ４０）の取得が行われる（ｓ−４５）。
【００７４】
再生記憶装置１においては、次にコンテンツの再生がランドマークモードによって行われているか否かの判断が行われる（ｓ−４６）。再生記憶装置１においては、コンテンツの再生がランドマークモードによって行われていないと判断した場合には、次のステップに進む。再生記憶装置１においては、コンテンツの再生がランドマークモードによって行われていると判断した場合には、現在位置検出部３０或いは相関データベース３５からランドマークデータ（ランドマークＩＤ４１）の取得が行われる（ｓ−４７）。
【００７５】
再生記憶装置１においては、現に再生中のコンテンツに対してそのコンテンツＩＤ４２に関連して上述した手順を経てそれぞれ取得した緯度データ３８及び経度データ３９と、道路ＩＤ４０及びランドマークＩＤ４１とを再生記録部９によって相関データベース３５に記録して格納する（ｓ−４８）。
【００７６】
ところで、道路データは、カーナビゲーション情報の地図データとしてある交差点から別の交差点の間に固有のＩＤが設定されている。したがって、道路ＩＤ４０は、交差点間の多数のポイント上に現在位置データＤ１があるか否かによって当該道路に付された道路ＩＤ４０が割り付けられて記録される。再生記憶装置１においては、道路データの取得処理が開始されると図１３に示す手順によって道路データの取得が行われる。
【００７７】
すなわち、再生記憶装置１においては、カーナビゲーション情報の地図データとの照合で現在位置に対応する道路が存在するか否かの判断が行われる（ｓ−５０）。再生記憶装置１においては、道路が存在しないと判断した場合には、最寄りの道路の検索が行われる（ｓ−５１）。再生記憶装置１においては、対応する道路が決定したならば、各道路に付された道路ＩＤ４０を取得する（ｓ−５２）。再生記憶装置１においては、取得した道路ＩＤ４０を上述したようにコンテンツＩＤ４２に関連して相関データベース３５に記録する。
【００７８】
また、ランドマークＩＤ４１は、例えばカーナビゲーション機能によって取得する経度データと緯度データについてそれぞれある範囲を設定したレンジデータや、対象の場所が識別可能な交差点等のデータを用いて設定される。ランドマークＩＤ４１は、一部で試行されている情報幹線道路等に沿って適宜設置されて位置情報を提供する走行支援道路システムＡＨＳ（Advanced Cruise-Assist Highway System）のデータを利用して設定するようにしてもよい。再生記憶装置１においては、道路データの取得処理が開始されると図１４に示す手順によって道路データの取得が行われる。
【００７９】
すなわち、再生記憶装置１においては、現在位置に対応するランドマークが存在するか否かの判断が行われる（ｓ−５５）。再生記憶装置１においては、ランドマークが存在しないと判断した場合には、最寄りのランドマークの検索が行われる（ｓ−５６）。再生記憶装置１においては、対応するランドマークが決定したならば、このランドマークに付されたランドマークＩＤ４１を取得する（ｓ−５７）。再生記憶装置１においては、取得したランドマークＩＤ４１を上述したようにコンテンツＩＤ４２に関連して相関データベース３５に記録する。
【００８０】
再生記憶装置１においては、例えば配信コンテンツのように予め関連情報が付されていないコンテンツの再生中で、位置データを記録することも可能である。再生記憶装置１においては、図１５（Ａ）に示した問合せのモニタ画面７５と同図（Ｂ）に示したモニタ画面７６によって、現在再生中のコンテンツについての関連付け項目の設定操作と、その確認が行われる。再生記憶装置１は、モニタ画面７５に示すように関連付けの問い合わせに対してモニタ画面７５に表示された緯度・経度欄６２と、道路欄６３と、ランドマーク欄６４を選択することにより関連付け項目が選択される。再生記憶装置１においては、ＯＫ欄６５をクリックすることによって項目選択が決定される。
【００８１】
再生記憶装置１においては、モニタ画面７５のＲＥＣ欄７７をクリックすることによって、決定された項目と現在再生中のコンテンツとが関連付けされて記録処理が行われる。再生記憶装置１においては、記録処理の終了に伴い画面が図１５（Ｂ）に示したモニタ画面７６に切り替わることによりその確認が可能となる。再生記憶装置１においては、モニタ画面７６のＯＫ欄７８をクリックして一連の設定操作を終了する。
【００８２】
再生記憶装置１においては、かかる再生途中のコンテンツに対する位置データの記録操作が、例えば図１６に示した手順にしたがって行われる。再生記憶装置１においては、現にコンテンツの再生操作が行われており、このコンテンツに関連情報を付して記憶するためにＲＥＣ欄７７をクリックすると記録処理が開始される。再生記憶装置１においては、相関データベース３５から現に再生が行われているコンテンツのコンテンツＩＤの取得が行われる（ｓ−６０）。
【００８３】
再生記憶装置１においては、ユーザに対して緯度・経度項目と道路項目及びランドマーク項目の問い合わせを行う（ｓ−６１）。再生記憶装置１においては、ユーザがキャンセル処理を行えばこの位置データの記録操作の処理が終了されるとともに、いずれか１つの項目が設定されれば処理が続行する。再生記憶装置１においては、位置データ記録を経度・緯度モードによって行うか否かの判断が行われる（ｓ−６２）。再生記憶装置１においては、位置データ記録が経度・緯度モードによって行われない場合には、次のモード検出が行われる。
【００８４】
再生記憶装置１においては、位置データ記録が経度・緯度モードによって行う場合に、現在位置検出部３０から現在位置の緯度データ及び経度データとの取得が行われる（ｓ−６３）。再生記憶装置１においては、次に位置データ記録が道路モードによって行うか否かの判断が行われる（ｓ−６４）。再生記憶装置１においては、位置データ記録が道路モードによって行われない場合には、次のモード検出が行われる。再生記憶装置１においては、位置データ記録が道路モードによって行われる場合には、現在位置検出部３０或いは相関データベース３５から道路データ（道路ＩＤ４０）の取得が行われる（ｓ−６５）。
【００８５】
再生記憶装置１においては、次に位置データ記録がランドマークモードによって行うか否かの判断が行われる（ｓ−６６）。再生記憶装置１においては、位置データ記録がランドマークモードによって行われない場合には、次のステップに進む。再生記憶装置１においては、位置データ記録がランドマークモードによって行わる場合には、現在位置検出部３０或いは相関データベース３５からランドマークデータ（ランドマークＩＤ４１）の取得が行われる（ｓ−６７）。
【００８６】
再生記憶装置１においては、現に再生中のコンテンツに対してそのコンテンツＩＤ４２に関連して上述した手順を経てそれぞれ取得した緯度データ３８及び経度データ３９と、道路ＩＤ４０及びランドマークＩＤ４１とを再生記録部９によって相関データベース３５に記録して格納する（ｓ−６８）。
【００８７】
なお、上述した再生記録装置１においては、再生される記憶情報として音楽や映画等のコンテンツを中心として説明し、記憶情報に付される関連情報として位置データの経度・緯度データと道路データとランドマークデータとについて説明したが、かかる使用例に限定されるものではないことは勿論である。また、再生記録装置１、自動車用に限定されるものではなく、各種の移動体に搭載されて用いられることは勿論である。
【図面の簡単な説明】
【００８８】
【図１】実施の形態として示す車載情報再生記録装置の構成ブロック図である。
【図２】車載情報再生記録装置における情報やデータの流れ図である。
【図３】コンテンツ−位置データの相関データベースの構成図である。
【図４】コンテンツ再生処理の基本フローチャートである。
【図５】位置データ記録処理の基本フローチャートである。
【図６】車載情報再生記録装置の使用状態の説明図である。
【図７】車載情報再生記録装置の他の使用状態の説明図である。
【図８】位置データ記録用の操作画面の説明図である。
【図９】自動再生モードの設定画面の説明図である。
【図１０】ランダム再生処理モードのフローチャートである。
【図１１】現在位置再生処理モードのフローチャートである。
【図１２】コンテンツ再生時における位置データ記録処理のフローチャートである。
【図１３】道路データ取得のフローチャートである。
【図１４】ランドマークデータ取得のフローチャートである。
【図１５】コンテンツ再生時における位置データ記録用操作画面の説明図である。
【図１６】コンテンツ再生時における新規位置データ設定処理のフローチャートである。
【符号の説明】
【００８９】
１  車載情報再生記録装置、２  スピーカ、３  モニタ、４  外部装置、５  外部記憶装置、７  制御処理部、８  出力部、９  再生記録部、１０  情報記録部、１１  無線通信部、１２  接続部、１３  電源部、１４  操作部、１８  アンテナ、１９  無線受信ユニット、２０  ＧＰＳアンテナ、２１  ＧＰＳ受信ユニット、３０  現在位置検出部、３１  コンテンツ検索部、３２  記録処理部、３３  コンテンツ取得部、３４  コンテンツ格納部、３５  コンテンツ−位置データ相関データベース、３６  地図データベース
【図１】
2005037276.tif 000003
【図２】
2005037276.tif 000004
【図３】
2005037276.tif 000005
【図４】
2005037276.tif 000006
【図５】
2005037276.tif 000007
【図６】
2005037276.tif 000008
【図７】
2005037276.tif 000009
【図８】
2005037276.tif 000010
【図９】
2005037276.tif 000011
【図１０】
2005037276.tif 000012
【図１１】
2005037276.tif 000013
【図１２】
2005037276.tif 000014
【図１３】
2005037276.tif 000015
【図１４】
2005037276.tif 000016
【図１５】
2005037276.tif 000017
【図１６】
2005037276.tif 000018